(57)【要約】【課題】養生シートを対象物から剥がす（取り外す）際に、当該養生シートを前記対象物に固定するための領域と、それ以外の領域とを簡単に分離して分別することが可能な養生シートを提供する。【解決手段】合成樹脂シート１０の長さ方向Ｌと平行な両縁１１Ａ及び１１Ｂから内側に所定の距離をおいた各々の位置に、長さ方向Ｌと平行なミシン目１２Ａ及び１２Ｂが各々形成されており、ミシン目１２Ａ及び１２Ｂと、縁１１Ａ及び１１Ｂとの間が、対象物に固定するための固定用領域１３Ａ及び１３Ｂとなる養生シート１である。【選択図】図１
2013087524.tif 000002
【特許請求の範囲】
【請求項１】
対象物に着脱可能に固定され、当該対象物を保護する養生シートであって、
合成樹脂シートの長さ方向と平行な両縁から内側に所定の距離をおいた各々の位置に、当該長さ方向と平行なミシン目が形成されてなり、
前記ミシン目と、長さ方向と平行な縁との間が、対象物に固定するための固定用領域となる養生シート。
【請求項２】
前記固定用領域の片面に粘着剤層を形成してなる請求項１記載の養生シート。
【請求項３】
前記粘着剤層の前記合成樹脂シートとは反対側の面に、離型紙を配設してなる請求項２記載の養生シート。
【請求項４】
前記合成樹脂シートは、ポリオレフィン樹脂発泡シートとポリオレフィン樹脂フィルムとの二層構造を有してなる請求項１ないし請求項３のいずれか一項に記載の養生シート。
【請求項５】
前記ポリオレフィン樹脂発泡シートに前記粘着剤層が形成されてなる請求項４記載の養生シート。
【請求項６】
前記固定用領域は、当該固定用領域以外の領域とは異なった色で着色されてなる請求項１ないし請求項５のいずれか一項に記載の養生シート。
【請求項７】
前記ミシン目は、前記合成樹脂シートとは異なった色で着色されてなる請求項１ないし請求項５のいずれか一項に記載の養生シート。
【発明の詳細な説明】
【技術分野】
【０００１】
本発明は、壁、床、天井等の対象物に配設され、当該対象物に傷や汚れ等が付着することを防止するために用いられる養生シートに関する。
【背景技術】
【０００２】
従来から、例えば、建築物等の施工時や、荷物の搬出・搬入等の際に、壁、床、天井等の対象物に傷や汚れ等が付着することを防止する目的で、様々な養生シートが使用されている。このような養生シートとしては、例えば、養生シートの長さ方向の側縁に沿って非粘着テープ付きの粘着テープを貼設すると共に、幅方向に沿って所定の間隔をおいて非粘着テープ付きの粘着テープを貼設した養生シートが紹介されている。（例えば、特許文献１参照）。
【０００３】
また、ポリマーシート同士を粘着剤によって貼り合わせた除染シート（養生シート）も紹介されている。（例えば、特許文献２参照）。
【０００４】
そしてまた、養生シートを、建材パネルの表面に貼着するための表面シートと、建材パネルの端面に貼着するための端面シートとに面積区分し、この面積区分された表面シートと端面シートとの境界線に、当該端面シートが切り離し容易となるような目印境界線を設けた養生シートも紹介されている。（例えば、特許文献３参照）。
【０００５】
さらにまた、合成樹脂シートの片面に粘着剤層が設けられ、当該粘着剤層のうち、合成樹脂シートの長さ方向両端部に設けた粘着剤層の粘着力を長さ方向中央部に設けた粘着剤層の粘着力よりも強くした養生シートも紹介されている。（例えば、特許文献４参照）。
【先行技術文献】
【特許文献】
【０００６】
【特許文献１】実開平３−１２３５７７号公報
【特許文献２】特開平７−３１８６９３号公報
【特許文献３】特開２００１−３２３６３１号公報
【特許文献４】特開２００９−１９７５１９号公報
【発明の概要】
【発明が解決しようとする課題】
【０００７】
前述したように、従来の養生シートは、合成樹脂シートと、当該合成樹脂シートを壁、床、天井等の対象物に固定するための粘着剤層とから構成されている。したがって、使用済みの養生シートをリサイクルする際には、合成樹脂シートと粘着剤層とに分別する必要がある。
【０００８】
しかしながら、合成樹脂シートと粘着剤層は、互いに強固に粘着されているため、両者を分離することが困難である。また、合成樹脂シートの一部に粘着剤層が設けられている養生シートであっても、養生シートを対象物から剥がす（取り外す）際に、合成樹脂シートのうち、粘着剤層が設けられていない部分と、粘着剤層が設けられている部分とに切り分けることは困難である。したがって、養生シートをリサイクルするには手間がかかり、使用済みの養生シートの殆どは、ゴミとして処分されているのが実情である。
【０００９】
また、粘着テープ等を使用して対象物に固定した養生シートを使用後にリサイクルする場合は、養生シートから粘着テープ等を剥がして両者を分別する必要があるが、養生シートから粘着テープ等を剥がす作業には手間がかかり、この場合も使用済みの養生シートの殆どは、ゴミとして処分されているのが実情である。
【００１０】
本発明は、このような事情に鑑みなされたものであり、養生シートを対象物から剥がす（取り外す）際に、当該養生シートを前記対象物に固定するための領域と、それ以外の領域とを簡単に分離して分別することが可能な養生シートを提供することを目的とする。
【課題を解決するための手段】
【００１１】
この目的を達成するため本発明は、対象物に着脱可能に固定され、当該対象物を保護する養生シートであって、合成樹脂シートの長さ方向と平行な両縁から内側に所定の距離をおいた各々の位置に、当該長さ方向と平行なミシン目（切り取り用の破線状の孔）が形成されてなり、前記ミシン目と、長さ方向と平行な縁との間が、対象物に固定するための固定用領域となる養生シートを提供するものである。
【００１２】
この構成を備えた養生シートは、固定用領域と、それ以外の領域（固定領域以外の領域）との境界に、養生シートの長さ方向に平行なミシン目が形成されている。したがって、養生シートを対象物に固定する際に固定用領域に貼られた粘着テープ等が、使用後の養生シートを対象物から剥がす（取り外す）際に当該固定用領域から剥がれ難くなっていても、当該養生シートをミシン目に沿って切り裂くことで、前記固定用領域とそれ以外の領域とを簡単に分離することができる。このため、養生シートのうち、粘着テープ等が貼り付けられていない部分（固定領域以外の領域）をリサイクルし、粘着テープ等が貼り付けられている固定用領域をゴミとして処分する等、リサイクル法に基づいて両者を簡単に分別することができるとともに、ゴミとして処分する部分を大幅に削減することができる。
【００１３】
また、前記養生シートは、前記固定用領域の片面に粘着剤層を形成した構成を有していてもよい。この場合、前記利点に加え、粘着テープ等の固定部材を別途必要とせず、前記粘着剤層を介して養生シートを対象物に簡単に固定することができる。
【００１４】
そしてまた、前記固定用領域の片面に粘着剤層を形成した構成の場合、当該粘着剤層の前記合成樹脂シートとは反対側の面に、離型紙を配設することもできる。このように構成することで、前記利点に加え、前記粘着剤層は離型紙を剥がすまで保護されるため、養生シートが意図せずに対象物以外に固定されることをより一層防止することができる。
【００１５】
また、前記合成樹脂シートは、ポリオレフィン樹脂発泡シートとポリオレフィン樹脂フィルムとの二層構造を有することができる。このように構成することで、ポリオレフィン樹脂発泡シートの衝撃吸収性により、対象物に対する保護性をさらに向上させることができる。さらにまた、この構成の場合、ポリオレフィン樹脂発泡シートに前記粘着剤層を形成することができる。
【００１６】
そしてまた、前記固定用領域は、当該固定用領域以外の領域とは異なった色で着色することができる。固定用領域をこのように着色することで、固定用領域と当該固定用領域以外の領域とを視覚上明確に区別することができるため、仮にミシン目が見難くても、当該ミシン目の位置を簡単に認識することができ、養生シートをミシン目に沿ってさらに簡単に切り裂くことができる。
【００１７】
さらにまた、前記ミシン目は、前記合成樹脂シートとは異なった色で着色されていてもよい。このように構成することで、ミシン目の位置を簡単に認識することができ、養生シートをミシン目に沿ってさらに簡単に切り裂くことができる。
【発明の効果】
【００１８】
本発明に係る養生シートは、対象物から剥がす（取り外す）際に、当該養生シートを前記対象物に固定するための領域と、それ以外の領域とを簡単に分離して分別することが可能であり、効率のよいリサイクルを行うことができる。
【図面の簡単な説明】
【００１９】
【図１】本発明の実施形態に係る養生シートの斜視図である。
【図２】図１に示すII−II線に沿った断面図である。
【図３】本発明の実施形態に係る養生シートを床に固定した状態を示す斜視図である。
【図４】図３に示す養生シートを対象物から剥がす（取り外す）途中の状態を示す斜視図である。
【図５】本発明の他の実施形態に係る養生シートの図２に対応する断面図である。
【図６】本発明の他の実施形態に係る養生シートの図２に対応する断面図である。
【発明を実施するための形態】
【００２０】
次に、本発明の実施形態に係る養生シートについて図面を参照して説明する。なお、以下に記載される実施形態は、本発明を説明するための例示であり、本発明をこれらの実施形態にのみ限定するものではない。したがって、本発明は、その要旨を逸脱しない限り、様々な形態で実施することができる。
【００２１】
図１は、本発明の実施形態に係る養生シートの斜視図、図２は、図１に示すII−II線に沿った断面図である。なお、前記各図では、説明を判り易くするため、各部材の厚さやサイズ、拡大・縮小率等は、実際のものとは一致させずに記載した。
【００２２】
図１及び図２に示すように、本実施形態に係る養生シート１は、合成樹脂シート１０から構成されており、合成樹脂シート１０の長さ方向Ｌ（図１に矢印Ｌで示す方向）と平行な両縁１１Ａ及び１１Ｂから内側に所定の距離をおいた各々の位置には、長さ方向Ｌと平行なミシン目１２Ａ及び１２Ｂが各々形成されている。
【００２３】
合成樹脂シート１０は、図２に示すように、ポリオレフィン樹脂発泡シート１５と、ポリオレフィン樹脂フィルム１６とからなる二層構造を有している。ポリオレフィン樹脂発泡シート１５は、ポリオレフィン樹脂フィルム１６と共にリサイクルできるように、ポリオレフィン樹脂フィルム１６と同種の樹脂材料を用いることが好ましい。ここでいう同種の樹脂材料とは、全く同一の樹脂材料である必要はなく、リサイクル分別の際に同分類になる範囲内のものをいう。最も好ましくは、ポリオレフィン樹脂発泡シート１５を形成する発泡樹脂材料は、ポリオレフィン樹脂フィルム１６を形成する樹脂材料と全く同一のものであり、本実施形態では、ポリエチレン系樹脂から構成した。また、本実施形態では、例えば、熱融着によりポリオレフィン樹脂発泡シート１５をポリオレフィン樹脂フィルム１６に貼り合わせることで合成樹脂シート１０を形成した。なお、ポリオレフィン樹脂発泡シート１５の厚さや発泡率、ポリオレフィン樹脂フィルム１６の厚さ等の条件は、養生すべき（保護すべき）対象物によって任意に選択することができる。また、ポリオレフィン樹脂発泡シート１５とポリオレフィン樹脂フィルム１６は、互いに異なった色となるように形成してもよく、同じ色となるように形成してもよい。
【００２４】
ポリオレフィン系樹脂は、オレフィン成分を５０モル％以上含有する樹脂であり、例えば、分岐状低密度ポリエチレン、中密度ポリエチレン、高密度ポリエチレン、直鎖状低密度ポリエチレン、直鎖状超低密度ポリエチレン、エチレン−プロピレンブロック共重合体、エチレン−プロピレンランダム共重合体、エチレン−ブテンブロック共重合体、エチレン−ブテンランダム共重合体、エチレン−酢酸ビニル共重合体、エチレン−メチルメタクリレート共重合体、プロピレン単独重合体、プロピレン−ブテンランダム共重合体、ポリブテン、ポリペンテン、プロピレン−エチレン−ブテン三元共重合体、プロピレン−アクリル酸共重合体、プロピレン−無水マレイン酸共重合体等が挙げられる。また、本実施形態においては、上記ポリオレフィン系樹脂にスチレン等のビニルモノマーを含浸させてグラフト重合させた、グラフト変性ポリオレフィン系樹脂も使用できる。
【００２５】
ミシン目１２Ａ及び１２Ｂは、切り取り用の破線状の孔からなり、これらのミシン目１２Ａ及び１２Ｂは、例えば、合成樹脂シート１０をロール状に巻き取る際に、所定のミシン目形成装置によって、前記二層構造を貫通した状態で形成される。
【００２６】
この養生シート１は、ミシン目１２Ａと縁１１Ａとの間が、長さ方向Ｌに沿った固定用領域１３Ａとなり、ミシン目１２Ｂと縁１１Ｂとの間が、長さ方向Ｌに沿った固定用領域１３Ｂとなっている。これらの固定用領域１３Ａ及び１３Ｂは、養生シート１を、例えば、壁、床、天井等の対象物に固定する際に、粘着テープ等の固定部材が貼り付けられる領域となる。なお、養生シート１のうち、固定用領域１３Ａ及び１３Ｂ以外の領域（即ち、ミシン目１２Ａとミシン目１２Ｂの間）は、リサイクル用領域１４となっている。
【００２７】
なお、ミシン目１２Ａ及び１２Ｂは、合成樹脂シート１０の厚さや引き裂き強度等に応じて、合成樹脂シート１０をミシン目１２Ａ及び１２Ｂに沿って、作業者が手で切り取れる（リサイクル用領域１４と、固定用領域１３Ａ及び１３Ｂを分離可能である）程度のピッチとなるように設定されている。また、合成樹脂シート１０の縁１１Ａとミシン目１２Ａとの距離、及び縁１１Ｂとミシン目１２Ｂとの距離は、養生シート１を対象物に固定するための粘着テープ等が固定用領域１３Ａ及び１３Ｂに貼り付けられた際に、養生シート１を対象物に安定的に固定できる程度の面積を確保できる程度の長さが必要であるが、養生作業後の養生シート１からでるゴミの量を少なくするためには、できるだけ短い方が好ましい。
【００２８】
次に、本実施形態に係る養生シート１の具体的な使用方法について図面を参照して説明する。なお、ここでは、養生シート１によって床を保護する場合について説明する。図３は、本発明の実施形態に係る養生シートを床に固定した状態を示す斜視図、図４は、図３に示す養生シートを対象物から剥がす（取り外す）途中の状態を示す斜視図である。
【００２９】
先ず、所望の長さとなるように養生シート１を長さ方向に垂直な方向（幅方向）に切断する。次に、図３に示すように、ポリオレフィン樹脂発泡シート１５側が床と接するように養生シート１を床の上に載置し、固定用領域１３Ａ及び１３Ｂの長さ方向Ｌに沿って粘着テープ２０を貼り付け、養生シート１を床に固定する。この時、粘着テープ２０は、ミシン目１２Ａ及び１２Ｂよりも外側となるように貼り付ける。このように、ポリオレフィン樹脂発泡シート１５側が床と接するように養生シート１を床に固定することで、床に凹凸があっても、この凹凸をポリオレフィン樹脂発泡シート１５によって緩和することができる。
【００３０】
次に、養生シート１を床から剥がす（取り外す）際は、図４に示すように、ミシン目１２Ａ及び１２Ｂに沿って合成樹脂シート１０を切り裂き、リサイクル用領域１４を固定用領域１３Ａ及び１３Ｂから分離させる。この時、固定用領域１３Ａ及び１３Ｂは、粘着テープ２０によって床に固定されているため、リサイクル用領域１４は、図４に示す矢印Ｘ方向に引っ張るだけで、簡単に固定用領域１３Ａ及び１３Ｂと分離することができる。この固定用領域１３Ａ及び１３Ｂから分離されたリサイクル用領域１４には、粘着テープ２０が貼り付けられていないため、簡単にリサイクルすることができる。
【００３１】
次に、リサイクル用領域１４が分離された固定用領域１３Ａ及び１３Ｂを床から剥がすが、この時、固定用領域１３Ａ及び１３Ｂの粘着テープ２０よりもミシン目１２Ａ及び１２Ｂ側に各々位置している部分を把持することができるため、固定用領域１３Ａ及び１３Ｂを床から簡単に剥がすことができる。なお、固定用領域１３Ａ及び１３Ｂは、リサイクル用領域１４に比べ、面積がかなり小さいため、仮に、粘着テープと共にゴミとして処分することになっても、ゴミの量は大幅に削減される。
【００３２】
なお、本実施の形態では、養生シート１として、ポリオレフィン樹脂発泡シート１５とポリオレフィン樹脂フィルム１６との二層構造を有する合成樹脂シート１０を使用した場合について説明したが、これに限らず、合成樹脂シート１０は、一層から構成されていてもよく、三層以上の多層シートから構成されていてもよい。また、合成樹脂シート１０は、一層、多層に関わらず、ポリオレフィン樹脂発泡シートを含んでいてもよく、含まなくてもよい。
【００３３】
また、合成樹脂シート１０は、ポリオレフィン樹脂フィルム１６の他、例えば、不織布等から形成することができ、合成樹脂シート１０を他のシートとの多層構造にする場合は、他のシートは、多層構造の合成樹脂シート１０を簡単にリサイクルすることができるように、例えば、同種の樹脂材料を用いることが好ましい。
【００３４】
そしてまた、合成樹脂シート１０は、ポリオレフィン樹脂フィルム１６、ポリオレフィン樹脂発泡シート１５、ポリオレフィン樹脂フィルム１６からなる三層構造を有していてもよい。また、合成樹脂シート１０を構成するフィルム部分は、例えば、フィルムと不織布との二層構造、あるいはフィルム、不織布等を含む多層構造であってもよい。いずれの構成の場合も、ミシン目１２Ａ及び１２Ｂのサイズやピッチ等の条件は、リサイクル用領域１４または固定用領域１３Ａ及び１３Ｂを図４に示す矢印Ｘ方向に引っ張るだけで、リサイクル用領域１４と固定用領域１３Ａ及び１３Ｂとを簡単に分離することができるように設定されている。
【００３５】
また、本実施の形態では、養生シート１を粘着テープ２０によって床（対象物）に固定した場合について説明したが、これに限らず、例えば、図５に示すように、合成樹脂シート１０の固定用領域１３Ａ及び１３Ｂに粘着剤層３０を形成してもよい。このように粘着剤層３０を形成することで、養生シート１を対象物に固定する際に、粘着テープ等の固定部材を別途用意する必要がないため、作業効率を上げることができる。なお、粘着剤層３０は、ミシン目１２Ａ及び１２Ｂと所定の距離をおいて縁１１Ａ及び１１Ｂ側に位置するように形成することができる。また、合成樹脂シート１０がポリオレフィン樹脂発泡シート１５とポリオレフィン樹脂フィルム１６との二層構造を有する場合は、ポリオレフィン樹脂発泡シート１５側に粘着剤層３０を形成することが好ましい。
【００３６】
そしてまた、粘着剤層３０を形成した構成の場合、図６に示すように、粘着剤層３０に離型紙４０を配設してもよい。このように構成することで、粘着剤層３０は離型紙４０を剥がすまで保護されるため、養生シート１が意図せずに対象物以外に固定されることをより一層防止することができる。また、養生シート１をロール状に巻いて保管している場合、養生シート１の巻き出し性をさらに向上させることができる。
【００３７】
また、固定用領域１３Ａ及び１３Ｂは、リサイクル用領域１４と異なった色で着色してもよい。固定用領域１３Ａ及び１３Ｂをこのように着色することで、固定用領域１３Ａ及び１３Ｂとリサイクル用領域１４とを視覚上明確に区別することができるため、仮にミシン目１２Ａ及び１２Ｂが見難くても、ミシン目１２Ａ及び１２Ｂの位置を簡単に認識することができる。したがって、養生シート１をミシン目１２Ａ及び１２Ｂに沿ってさらに簡単に切り裂くことができる。
【００３８】
さらにまた、ミシン目１２Ａ及び１２Ｂは、合成樹脂シート１０とは異なった色で着色されていてもよい。このように構成することで、ミシン目１２Ａ及び１２Ｂの位置を簡単に認識することができ、養生シート１をミシン目１２Ａ及び１２Ｂに沿ってさらに簡単に切り裂くことができる。なお、ミシン目１２Ａ及び１２Ｂを着色する方法としては、例えば、ミシン目形成装置の刃に着色料を塗布し、この着色料が塗布された刃によってミシン目１２Ａ及び１２Ｂを形成する等の方法が挙げられる。
【００３９】
また、養生シート１には、所望により長さ方向Ｌと垂直な方向（幅方向）に沿って、互いに所定の間隔をおいた位置に、他のミシン目を形成してもよい。具体的には、例えば、１ｍ毎にミシン目を長さ方向Ｌと垂直な方向（幅方向）に沿って形成すれば、このミシン目に沿って養生シート１を切ることで、はさみ等を使用することなく、長さ１ｍの養生シート１を簡単に得ることもできる。
【符号の説明】
【００４０】
１    養生シート
１０    合成樹脂シート
１１Ａ、１１Ｂ    縁
１２Ａ、１２Ｂ    ミシン目
１３Ａ、１３Ｂ    固定用領域
１４    リサイクル用領域
１５    ポリオレフィン樹脂発泡シート
１６    ポリオレフィン樹脂フィルム
２０    粘着テープ
３０    粘着剤層
４０    離型紙
【図１】
2013087524.tif 000003
【図２】
2013087524.tif 000004
【図３】
2013087524.tif 000005
【図４】
2013087524.tif 000006
【図５】
2013087524.tif 000007
【図６】
2013087524.tif 000008